(57)【要約】【課題】  無線通信装置の消費電力を低減する。【解決手段】  送信タイミング時に、電界強度測定部２０において電界強度ＲＳＳＩを測定し、その値が基準値以下のときに判定部５０からデータ処理部２等へ送信許可信号ＴＸＥを与えて送信データＴＸＤを出力させる。また、受信タイミング時には、電界強度測定部２０において電界強度ＲＳＳＩを測定し、その値が基準値を越えていて、かつ復調部３０で復調された受信データＲＸＤが受信制御部６０で正常と判定されたときに、データ処理部２にデータ受信信号ＲＤＥと共に受信データＲＸＤを与える。これにより、データ処理部２は必要な時以外は起動されないので、消費電力を低減することができる【選択図】      図１
2006319898.tif 000002
【特許請求の範囲】
【請求項１】
無線信号によって他局との間でデータの送受信を行う送受信部と、送受信するデータの処理とこの送受信部の動作制御を行うデータ処理部とを有する無線通信装置において、
前記送受信部は、
設定された時間毎に送信タイミング信号と受信タイミング信号を出力するタイミング制御部と、
前記送信タイミング信号または受信タイミング信号が与えられたときに無線通信チャネルの受信電界強度を測定する電界強度測定部と、
前記送信タイミング信号が与えられかつ該受信電界強度が基準値以下のときに送信許可信号を出力し、前記受信タイミング信号が与えられかつ前記受信電界強度が基準値を越えているときには受信許可信号を出力する判定部と、
前記送信許可信号が与えられたときに前記データ処理部から出力される送信データを変調して送信する変調部と、
復調許可信号が与えられたときに受信信号を復調して受信データを生成する復調部と、  前記受信許可信号が与えられたときに前記復調部に前記復調許可信号を与えると共に該復調部で生成された受信データが正常か否かを判定し、正常な場合には該受信データをデータ受信信号と共に前記データ処理部へ出力し、正常でない場合には前記復調許可信号を停止する受信制御部とを備え、
前記データ処理部は、
前記送信許可信号によって起動されて前記送信データを前記送受信部に出力し、前記データ受信信号によって起動されて前記受信データを該送受信部から入力するように構成した、
ことを特徴とする無線通信装置。
【請求項２】
前記送信タイミング信号、受信タイミング信号、送信許可信号、復調許可信号、及び前記データ処理部から与えられる動作モード制御信号に従って、前記送受信部におけるクロック信号と電源の供給を制御する省電力制御部を設けたことを特徴とする請求項１記載の無線通信装置。
【請求項３】
送信タイミングであると判断された場合であって、
電界強度の測定を開始し、前記電界強度の測定結果が基準値よりも大きく、かつ前記電界強度が所定の時間内に測定されたとき、送信動作を行わないことを特徴とする無線通信方法。
【請求項４】
前記送信タイミングであると判断された場合であって、
前記電界強度の測定結果が基準値よりも小さいとき、前記送信動作を行うことを特徴とする請求項３記載の無線通信方法。
【請求項５】
受信タイミングであると判断された場合であって、
前記電界強度の測定を開始し、前記電界強度の測定結果が基準値よりも小さく、かつ前記電界強度が前記所定の時間内に測定されたとき、受信動作を行わないことを特徴とする請求項３または４記載の無線通信方法。
【請求項６】
前記受信タイミングであると判断された場合であって、
前記電界強度の測定結果が基準値よりも大きいとき、前記受信動作を行うことを特徴とする請求項５記載の無線通信方法。
【発明の詳細な説明】
【技術分野】
【０００１】
本発明は、無線通信装置の低消費電力化に関するものである。
【背景技術】
【０００２】
無線ネットワークは、基地局とその基地局がカバーするエリア内に存在する複数の無線端末との間でのデータ通信を行うものである。基地局はある一定時間毎に受信動作を開始し、その時間内に無線端末側から送信されてきたデータを受信する。また、基地局から端末装置へデータを送信するときは、一定時間毎に無線端末がデータを送信していないことを確認した後、データを送信する。無線端末側も同様で、一定時間毎に受信動作を開始し、その時間内に基地局側から送信されてきたデータを受信する。また、端末装置から基地局へデータを送信するときは、一定時間毎に基地局がデータを送信していないことを確認した後、データを送信する。
【０００３】
このため、基地局と無線端末は、それぞれ一定周期で、使用する無線チャネルにおける電波の状態（電界強度）を測定し、予め設定された設定値以上の電界強度があれば受信動作を行い、電界強度が設定値以下であれば、送信動作を行うようになっている。
【発明の開示】
【発明が解決しようとする課題】
【０００４】
しかしながら、前記無線ネットワークの基地局と無線端末では、一定周期毎に電界強度を測定し、その結果に基づいて送信動作または受信動作のいずれか一方を行うので、次のような課題があった。
【０００５】
基地局と無線端末で使用される無線通信装置は、一般的に、無線周波数によって送受信を行う送受信部と、送受信データの処理を行うデータ処理部とで構成されているが、一定周期毎に送受信部によって電界強度が測定され、その測定結果に従ってデータ処理部が送信動作または受信動作のために起動される。
【０００６】
しかしながら、送信するデータが必ず存在しているとは限らず、また、受信動作だけを行いたい場合もある。更に、受信の必要はなく送信だけを行いたい場合もある。このような場合、一定周期毎にデータ処理部が起動されると、このデータ処理部による不必要な動作が行われ、消費電力の低減に限界があった。
【０００７】
本発明は、不必要な動作を徹底的に無くすことにより、無線通信装置における消費電力を低減することを目的としている。
【課題を解決するための手段】
【０００８】
本発明は、無線信号によって他局との間でデータの送受信を行う送受信部と、送受信するデータの処理とこの送受信部の動作制御を行うデータ処理部とを有する無線通信装置において、送受信部を、設定された時間毎に送信タイミング信号と受信タイミング信号を出力するタイミング制御部と、前記送信タイミング信号または受信タイミング信号が与えられたときに無線通信チャネルの受信電界強度を測定する電界強度測定部と、前記送信タイミング信号が与えられかつ該受信電界強度が基準値以下のときに送信許可信号を出力し、前記受信タイミング信号が与えられかつ前記受信電界強度が基準値を越えているときには受信許可信号を出力する判定部と、前記送信許可信号が与えられたときに前記データ処理部から出力される送信データを変調して送信する変調部と、復調許可信号が与えられたときに受信信号を復調して受信データを生成する復調部と、前記受信許可信号が与えられたときに前記復調部に前記復調許可信号を与えると共に該復調部で生成された受信データが正常か否かを判定し、正常な場合には該受信データをデータ受信信号と共に前記データ処理部へ出力し、正常でない場合には前記復調許可信号を停止する受信制御部とを備えた構成にしている。
【０００９】
また、データ処理部は、前記送信許可信号によって起動されて前記送信データを前記送受信部に出力し、前記データ受信信号によって起動されて前記受信データを該送受信部から入力するように構成したことを特徴としている。
【発明の効果】
【００１０】
本発明では、送信タイミング時に送受信部において受信電界強度を測定し、その値が基準値以下のときにデータ処理部に送信許可信号を与えて送信データを出力するようにしている。また、受信タイミング時に送受信部において受信電界強度を測定し、その値が基準値を越えていて、かつ受信データが正常と判定されたときにデータ処理部にデータ受信信号と共に受信データを与えるようにしている。これにより、データ処理部は必要な時以外は起動されないので、消費電力を低減することができるという効果がある。
【発明を実施するための最良の形態】
【００１１】
送受信部内の送信タイミング信号、受信タイミング信号、送信許可信号及び復調許可信号に加えて、データ処理部から与えられる動作モード制御信号に従って、この送受信部におけるクロック信号と電源の供給を制御する省電力制御部を設けることにより、更に無線通信装置の消費電力の低減が可能である。
【実施例１】
【００１２】
図１は、本発明の実施例１を示す無線通信装置の概略の構成図である。
この無線通信装置は、大きく分けて無線周波数によって他の無線通信装置との間で送受信を行う送受信部１と、送受信データの処理とこの送受信部１の制御を行うデータ処理部２で構成されている。
【００１３】
送受信部１は、アンテナを含む高周波部１０、電界強度測定部２０、復調部３０、変調部４０、判定部５０、受信制御部６０、送信データ格納部７０、及びタイミング制御部８０を有している。
【００１４】
高周波部１０は、図示しない受信部と送信部で構成されている。受信部は、アンテナに入力された高周波信号ＲＦの中から指定された受信チャネルの周波数成分を選択増幅し、その受信レベルに応じた受信レベル信号ＲＳを電界強度測定部２０に与えると共に、ベースバンドの受信信号ＲＸＳに変換して復調部３０に与えるものである。送信部は、変調部４０から与えられるベースバンドの送信信号ＴＸＳを、指定された送信チャネルの高周波信号ＲＦに変換して所定のレベルに増幅した後、アンテナから送信するものである。なお、高周波部１０は、測定制御信号ＭＳＥまたは復調許可信号ＤＭＥが与えられたときに受信動作を行い、送信許可信号ＴＸＥが与えられたときに送信動作を行うもので、送信動作と受信動作が同時に行われないように制御されるようになっている。
【００１５】
電界強度測定部２０は、送信動作及び受信動作の開始時にタイミング制御部８０から与えられる測定制御信号ＭＳＥに従って、高周波部１０から与えられる受信レベル信号ＲＳをディジタル処理して、安定した受信電界強度信号ＲＳＳＩを算出するものである。測定された受信電界強度信号ＲＳＳＩの値は、判定部５０へ与えられるようになっている。
【００１６】
復調部３０は、受信制御部６０から復調許可信号ＤＭＥが与えられたときに、高周波部１０から与えられる受信信号ＲＸＳを受信データＲＸＤに復調して受信制御部６０に出力するものである。また、変調部４０は、判定部５０から送信許可信号ＲＸＥが与えられたときに、送信データ格納部７０から与えられる送信データＴＸＤを変調して高周波部１０へ出力するものである。
【００１７】
判定部５０は、タイミング制御部８０から与えられる測定制御信号ＭＳＥ、受信制御信号ＲＸＣ及び送信制御信号ＴＸＣに基づいて電界強度信号ＲＳＳＩを基準値と比較し、その比較結果に応じて受信許可信号ＲＸＥまたは送信許可信号ＴＸＥを出力するものである。この判定部５０は、測定制御信号ＭＳＥに従って電界強度測定部２０から与えられる受信電界強度信号ＲＳＳＩの値を記憶する電界強度記憶部５１、データ処理部２から基準値が設定されるレジスタ５２、及び受信電界強度信号ＲＳＳＩと基準値を比較する比較部５３で構成されている。比較部５３は、受信制御信号ＲＸＣが与えられたときに、受信電界強度信号ＲＳＳＩが基準値を越えていれば、他の無線通信装置からの信号が受信されていると判定して、受信制御部６０に受信許可信号ＲＸＥを出力する。また、送信制御信号ＴＸＣが与えられたときに、受信電界強度信号ＲＳＳＩが基準値以下であれば、他の無線通信装置が送信を行っていないと判定して、高周波部１０、変調部４０、送信データ格納部７０及びデータ処理部２に、送信許可信号ＴＸＥを出力するようになっている。
【００１８】
受信制御部６０は、復調部３０から出力される受信データＲＸＤを保持し、その受信データＲＸＤの先頭部にプリアンブル等の特定パターンが含まれているか否かを調べ、含まれている場合に、復調動作を継続させると共にこの復調部３０から出力される受信データＲＸＤを、データ処理部２に出力するものである。特定パターンが含まれていない場合には、それ以降の復調部３０の動作を停止させるようになっている。この受信制御部６０は、受信データＲＸＤを保持する受信データ保持部６１、データ処理部２から特定パターンが設定されるレジスタ６２、受信データＲＸＤの先頭部と特定パターンを比較する比較部６３、及び受信データＲＸＤをデータ処理部２に出力する出力部６４を有している。
【００１９】
なお、比較部６３は、判定部５０からの受信許可信号ＲＸＥとタイミング制御部８０からの比較制御信号ＣＰＥが与えられたときに、復調許可信号ＤＭＥを高周波部１０と復調部３０に与え、この復調部３０から出力される受信データＲＸＤの先頭部を特定パターンと比較し、一致したときには正常な受信データＲＸＤが受信されていると判定して復調許可信号ＤＭＥを出力し続け、不一致のときは、比較制御信号ＣＰＥが停止した時点で復調許可信号ＤＭＥを停止するものである。また比較部６３は、受信データＲＸＤが正常なときに、出力部６４とデータ処理部２に対してデータ受信信号ＲＤＥの出力を開始し、受信許可信号ＲＸＥが与えられている間、このデータ受信信号ＲＤＥを出力し続けるようになっている。出力部６４は、データ受信信号ＲＤＥが与えられたときに、受信データ保持部６１に保持されている受信データＲＸＤを読み出してデータ処理部２に出力するものである。
【００２０】
送信データ格納部７０は、データ処理部２から与えられる送信データＴＸＤを格納するもので、判定部５０から送信許可信号ＴＸＥが与えられたときに、格納している送信データＴＸＤを順次読み出して、変調部４０へ送出するものである。
【００２１】
タイミング制御部８０は、図示しないクロック信号に基づいて、一定の周期で受信制御信号ＲＸＣ、送信制御信号ＴＸＣ、測定制御信号ＭＳＥ及び比較制御信号ＣＰＥを生成するものである。このタイミング制御部８０は、一定範囲（例えば、０〜１００）の値を繰り返してカウントするカウンタ８１と、このカウンタ８１のカウント値ＣＮＴが所定範囲の値のときに受信制御信号ＲＸＣを出力する受信タイミング生成部８２、これとは別の所定範囲の値のときに送信制御信号ＴＸＣを出力する送信タイミング生成部８３を有している。なお、これらの受信タイミング生成部８２と送信タイミング生成部８３とは、データ処理部２から与えられる停止信号ＳＴＰによって、カウント値ＣＮＴに関係なく強制的にリセットされるようになっている。
【００２２】
更に、タイミング制御部８０は、受信制御信号ＲＸＣと送信制御信号ＴＸＣのいずれかが出力されたときに、その出力開始から一定時間だけ、電界強度測定部２０が安定した測定をするための測定制御信号ＭＳＥを出力する測定タイミング生成部８４と、受信制御信号ＲＸＣが出力されたときに、その出力開始から一定時間だけ比較制御信号ＣＰＥを出力する比較タイミング生成部８５を有している。なお、タイミング制御部８０のカウンタ８１及び各タイミング生成部８２〜８５のタイミング制御用のデータは、データ処理部２から設定できるようになっている。
【００２３】
図２は、図１の動作を示すフローチャートである。以下、この図２を参照しつつ、図１の動作を説明する。
【００２４】
まず、データ処理部２は、必要に応じて送受信部１内の判定部５０のレジスタ５２に基準値を、受信制御部６０のレジスタ６２に特定パターンを、タイミング制御部８０に制御データをそれぞれ設定する（ステップＳ１〜Ｓ３）と共に、送信データ格納部７０に送信データＴＸＤを格納する（ステップＳ４）。その後、データ処理部２は省電力モードに移行する。
【００２５】
送受信部１では、タイミング制御部８０のカウンタ８１が動作し（ステップＳ５，Ｓ６）、そのカウント値ＣＮＴが送信タイミング生成部８３に設定された値になると、この送信タイミング生成部８３から送信制御信号ＴＸＣが出力され、更に測定タイミング生成部８４から測定制御信号ＭＳＥが出力される（ステップＳ７）。また、カウンタ８１のカウント値ＣＮＴが受信タイミング生成部８２に設定された値になったときには、この受信タイミング生成部８２から受信制御信号ＲＸＣが出力され、更に測定タイミング生成部８４から測定制御信号ＭＳＥが出力され、比較タイミング生成部８５から比較制御信号ＣＰＥが出力される（ステップＳ１６）。
【００２６】
送信タイミングにおいて、送信制御信号ＴＸＣと測定制御信号ＭＳＥが出力されると、高周波部１０が受信動作状態となり、電界強度測定部２０によって受信電界強度信号ＲＳＳＩの測定が開始される（ステップＳ８）。一定時間後、測定制御信号ＭＳＥが停止されて電界強度測定部２０の測定動作は終了し、測定結果の受信電界強度信号ＲＳＳＩが判定部５０の電界強度記憶部５１に記憶される（ステップＳ９）。
【００２７】
電界強度記憶部５１に記憶された受信電界強度信号ＲＳＳＩは、比較部５３において、レジスタ５２に設定されている設定値と比較される（ステップＳ１０）。比較部５３は、受信電界強度信号ＲＳＳＩが設定値を越えていると、他の無線通信装置が送信を行っていると判定し、送信許可信号ＴＸＥを出力せずに動作を終了し、高周波部１０の動作も停止する（ステップＳ１１）。
【００２８】
ステップＳ１０の比較で受信電界強度信号ＲＳＳＩが設定値以下であると、比較部５３は、他の無線通信装置が送信を行っていないと判定し、高周波部１０、変調部４０、送信データ格納部７０及びデータ処理部２に、送信許可信号ＴＸＥを出力する。これにより、送信動作が開始される（ステップＳ１２）。高周波部１０は送信動作状態となり、送信データ格納部７０に格納されている送信データＴＸＤが、順次読み出されて変調部４０で変調され、高周波部１０で高周波信号ＲＦに変換されて送信される（ステップＳ１３）。
【００２９】
また、データ処理部２は、送信許可信号ＴＸＥによって通常動作モードに移行し、送信データＴＸＤを順次送信データ格納部７０に格納する。データ処理部２は、送信すべき送信データＴＸＤをすべて送出した時点で（ステップＳ１４）、送受信部１に対して停止信号ＳＴＰを出力し、省電力モードに戻る。
【００３０】
送受信部１では、停止信号ＳＴＰによってタイミング制御部８０の送信タイミング生成部８３がリセットされ、送信制御信号ＴＸＣが停止する。これにより、判定部５０から出力されていた送信許可信号ＴＸＥが停止し、高周波部１０、変調部４０、及び送信データ格納部７０は動作を停止する（ステップＳ１５）。
【００３１】
一方、受信タイミングにおいて、受信制御信号ＲＸＣと測定制御信号ＭＳＥと比較制御信号ＣＰＥが出力されると（ステップＳ１６）、高周波部１０は受信動作状態となり、電界強度測定部２０によって受信電界強度信号ＲＳＳＩの測定が開始される（ステップＳ１７）。一定時間後、測定制御信号ＭＳＥが停止されて電界強度測定部２０の測定動作は停止し、測定結果の受信電界強度信号ＲＳＳＩが判定部５０の電界強度記憶部５１に記憶される（ステップＳ１８）。
【００３２】
電界強度記憶部５１に記憶された受信電界強度信号ＲＳＳＩは、比較部５３において、レジスタ５２に設定されている設定値と比較される（ステップＳ１９）。受信電界強度信号ＲＳＳＩが設定値以下であると、比較部５３は、他の無線通信装置が送信を行っていないと判定し、受信許可信号ＲＸＥを出力せずに動作を終了し、高周波部１０の動作も停止する（ステップＳ２０）。
【００３３】
ステップＳ１９の比較で受信電界強度信号ＲＳＳＩが設定値を越えていると、比較部５３は、他の無線通信装置が送信を行っていると判定し、受信制御部６０に受信許可信号ＲＸＥを出力する。受信制御部６０の比較部６３からは、受信許可信号ＲＸＥと比較制御信号ＣＰＥに基づいて復調許可信号ＤＭＥが出力され、高周波部１０と復調部３０に与えられる。これにより、高周波部１０は、引き続き受信動作状態に維持され、更に復調部３０による復調動作が開始される（ステップＳ２１）。
【００３４】
復調部３０では高周波部１０から与えられた受信信号ＲＸＤを復調して、受信データＲＸＤを受信制御部６０に出力する。受信データＲＸＤは受信データ保持部６１に保持され、比較部６３によってその先頭部がレジスタ６２に格納されている特定パターンと比較される（ステップＳ２２）。比較結果が不一致のときは、比較制御信号ＣＰＥが停止した時点で復調許可信号ＤＭＥが停止され、高周波部１０と復調部３０の動作は停止する（ステップＳ２３，Ｓ２６）。
【００３５】
比較部６３の比較結果が一致したときには、正常な受信データＲＤが受信されていると判定され、出力部６４とデータ処理部２に対してデータ受信信号ＲＤＥが出力される。高周波部１０及び復調部３０への復調許可信号ＤＭＥと、出力部６４及びデータ処理部２へのデータ受信信号ＲＤＥは、受信許可信号ＲＸＥが与えられている間、継続して出力される。
【００３６】
これにより、高周波部１０から与えられた受信信号ＲＸＤは、復調部３０で受信データＲＸＤに復調されて受信データ保持部６１に保持され、更に出力部６４によって読み出されてデータ処理部２に出力される（ステップＳ２４）。
【００３７】
データ処理部２は、データ受信信号ＲＤＥによって通常動作モードに移行し、出力部６４から出力される受信データＲＸＤを順次受け取る。データ処理部２は、受信データＲＸＤの内容に基づいて（例えば、ヘッダー部に格納されたメッセージ長の情報等）、その受信データＲＸＤの終了を判断し（ステップＳ２５）、送受信部１に対して停止信号ＳＴＰを出力して省電力モードに戻る。
【００３８】
送受信部１では、停止信号ＳＴＰによってタイミング制御部８０の受信タイミング生成部８２がリセットされ、受信制御信号ＲＸＣが停止する。これにより、判定部５０から出力されていた受信許可信号ＲＸＥが停止し、受信制御部６０の復調許可信号ＤＭＥが停止して、高周波部１０、復調部３０、及び受信制御部６０は動作を停止する（ステップＳ２６）。
【００３９】
このフローチャートにおいて、データ処理部２が動作状態となっているステップは、Ｓ１〜Ｓ４，Ｓ１２〜Ｓ１５，Ｓ２４〜Ｓ２６であり、その他のステップＳ５〜Ｓ１１，Ｓ１６〜Ｓ２３では、このデータ処理部２は省電力モードとなっている。
【００４０】
以上のように、この実施例１の無線通信装置は、受信動作を行うための受信タイミング生成部８２と送信動作を行うための送信タイミング生成部８３を別々に設けているので、受信タイミング時には受信のための所望の処理を行い、送信タイミング時には送信のための所望の処理を行うことができる。また、送信動作を行いたいときに、妨害波等によって電界強度信号ＲＳＳＩが高くなって送信動作を行うことができないにときには、高周波部１０や変調部４０を動作させることなく、データ処理部２も起動させることなく、次の送信タイミングを待つことができる。受信動作を行う場合も同様である。従って、所望の動作以外での消費電力を低減することができる。
【実施例２】
【００４１】
図３は、本発明の実施例２を示す無線通信装置の概略の構成図であり、図１中の要素と共通の要素には共通の符号が付されている。
【００４２】
この無線通信装置は、図１の無線通信装置の送受信部１に省電力制御部９０を付加すると共に、この省電力制御部９０によって制御されるクロック源３、クロック供給部４、及び電源部５を設けたもので、その他の構成は図１と同様である。
【００４３】
クロック源３は、送受信部１及びデータ処理部２の外にあるクロック発生源で、水晶発振子や水晶発信器で構成され、マスタークロックＭＣＫを発生するものである。クロック供給部４は、クロック源３から供給されるマスタークロックＭＣＫに基づいて送受信部１の各部へのクロック供給を行うもので、各部に必要なクロック周波数（例えば、高速クロックＨＣＫ、低速クロックＬＣＫ）を必要なときにのみ供給できるようになっている。電源部５は、送受信部１における高周波部１０と、タイミング制御部８０及び省電力制御部９０以外のその他の各部への電源供給を個別に制御可能なものである。
【００４４】
省電力制御部９０は、省電力動作ステート管理部９１、クロック源３の動作を制御するクロック源制御部９２、クロック供給部４の動作を制御するクロック供給制御部９３及び電源部５の動作を制御する電源制御部９４を備えている。省電力動作ステート管理部９１は、データ処理部２から与えられる動作モード制御情報ＭＯＤと、判定部５０から与えられる送信許可信号ＴＸＥと、受信制御部６０から与えられる復調許可信号ＤＭＥと、タイミング制御部８０から与えられる受信制御信号ＲＸＣ及び送信制御信号ＴＸＣと、データ処理部２から与えられる停止信号ＳＴＰに基づいて、クロック源制御部９２、クロック供給制御部９３及び電源制御部９４を制御するものである。
【００４５】
なお、動作モード制御情報ＭＯＤは、高周波部１０を含む送受信部１をすべて動作させる全動作モード、高周波部１０以外の各部を動作させる制御動作モード、及びタイミング制御部８０と省電力制御部９０以外の動作を停止させる省電力動作モードの３つの動作モードのいずれかを指定する信号である。
【００４６】
次に、省電力制御部９０の動作を中心に、図３の無線通信装置の動作を説明する。なお、この無線通信装置全体の送受信動作は、図２のフローチャートと同様である。
【００４７】
データ処理部２から動作モード制御情報ＭＯＤによって全動作モードが指定されると、省電力動作ステート管理部９１は、クロック源制御部９２からクロック源３を起動してマスタ−クロックＭＣＫを発生させ、クロック供給制御部９３からクロック供給部４に対して各部に必要な周波数の供給を行わせる。また、省電力動作ステート管理部９１は、電源制御部９４から電源部５に対して、各部に必要な通常の電源を供給させるように制御を行わせる。
【００４８】
動作モード制御情報ＭＯＤによって制御動作モードが指定されると、省電力動作ステート管理部９１は、クロック源制御部９２からクロック源３を起動してマスタ−クロックＭＣＫを発生させ、クロック供給制御部９３からクロック供給部４に対して、タイミング制御部８０及び省電力制御部９０に通常のクロック信号（例えば、高速クロックＨＣＫ）を供給し、それ以外へクロック信号の供給を停止するように制御する。また、省電力動作ステート管理部９１は、電源制御部９４から電源部５に対して、高周波部１０への電源供給を停止し、それ以外の各部には必要な通常の電源を供給させるように制御する。
【００４９】
動作モード制御情報ＭＯＤによって省電力動作モードが指定されると、省電力動作ステート管理部９１は、クロック源制御部９２からクロック源３に対してマスタ−クロックＭＣＫを停止して低速クロックＬＣＫのみを発生させ、クロック供給制御部９３からクロック供給部４に対して、タイミング制御部８０及び省電力制御部９０に低速クロックＬＣＫのみを供給し、それ以外へクロック信号の供給を停止するように制御する。また、省電力動作ステート管理部９１は、電源制御部９４から電源部５に対して、高周波部１０への電源供給を停止し、それ以外の各部には必要最小限の電流を供給させるように制御する。
【００５０】
制御動作状態または省電力動作状態で、タイミング制御部８０から受信制御信号ＲＸＣが与えられると、省電力動作ステート管理部９１は、クロック源制御部９２からクロック源３を起動してマスタ−クロックＭＣＫを発生させ、クロック供給制御部９３からクロック供給部４に対して各部に必要な周波数の供給を行わせ、更に、電源制御部９４から電源部５に対して、各部に必要な通常の電源を供給させる。これにより、送受信部１は、全動作状態に移行する。
【００５１】
その後、比較制御信号ＣＰＥに対応する所定時間後に受信制御部６０から復調許可信号ＤＭＥが出力されていれば、そのまま全動作状態が維持される。そして、復調許可信号ＤＭＥが停止した時点で、省電力動作ステート管理部９１は、クロック源制御部９２からクロック源３に対して低速クロックＬＣＫのみを発生させ、クロック供給制御部９３からクロック供給部４に対して、タイミング制御部８０及び省電力制御部９０に低速クロックＬＣＫのみを供給させ、電源制御部９４から電源部５に対して、高周波部１０以外の各部に必要な最小限の電流を供給させる。これにより、送受信部１は、省電力動作状態に移行する。
【００５２】
もしも、比較制御信号ＣＰＥに対応する所定時間後に受信制御部６０から復調許可信号ＤＭＥが出力されない場合には、省電力動作ステート管理部９１は、直ちに送受信部１を省電力動作状態に移行させる。
【００５３】
同様に、制御動作状態または省電力動作状態で、タイミング制御部８０から送信制御信号ＴＸＣが与えられると、省電力動作ステート管理部９１は、送受信部１を全動作状態に移行させる。
【００５４】
その後、測定制御信号ＭＳＥに対応する所定時間後に判定部５０から送信許可信号ＴＸＥが出力されていれば、送受信部１は、そのまま全動作状態が維持される。そして、データ処理部２から停止信号ＳＴＰが出力された時点で、省電力動作ステート管理部９１は、送受信部１を省電力動作状態に移行させる。
【００５５】
もしも、測定制御信号ＭＳＥに対応する所定時間後に判定部５０から送信許可信号ＴＸＥが出力されない場合には、省電力動作ステート管理部９１は、直ちに送受信部１を省電力動作状態に移行させる。
【００５６】
なお、図２のフローチャートにおける送受信部１の動作モードは、ステップＳ１〜Ｓ４は制御動作モード、ステップＳ５，Ｓ６は省電力動作モード、そして、それ以外のステップＳ７〜Ｓ２６が全動作モードである。
【００５７】
以上のように、この実施例２の無線通信装置は、動作モードに応じて送受信部１内の各部の電源やクロック信号の供給を制御するための省電力制御部９０を備えている。これにより、データ処理部２のみならず送受信部１の消費電力を制御することができるので、実施例１よりも更に消費電力を低減できるという効果がある。
【図面の簡単な説明】
【００５８】
【図１】本発明の実施例１を示す無線通信装置の概略の構成図である。
【図２】図１の動作を示すフローチャートである。
【図３】本発明の実施例２を示す無線通信装置の概略の構成図である。
【符号の説明】
【００５９】
１    送受信部
２    データ処理部
３    クロック源
４    クロック供給部
５    電源部
１０    高周波部
２０    電界強度測定部
３０    復調部
４０    変調部
５０    判定部
６０    受信制御部
７０    送信データ格納部
８０    タイミング制御部
８１    カウンタ
８２    受信タイミング生成部
８３    送信タイミング生成部
８４    測定タイミング生成部
８５    比較タイミング生成部
９０    省電力制御部
９１    省電力動作ステート管理部
９２    クロック源制御部
９３    クロック供給制御部
９４    電源制御部
【図１】
2006319898.tif 000003
【図２】
2006319898.tif 000004
【図３】
2006319898.tif 000005